(57)【要約】【課題】スライドベース部材に光学部品を組み込んで構成される光ピックアップにおいて、光学部品を所定の位置に容易に嵌め込み可能で、一旦嵌め込んだ後は、抜け落ちせずに三次元方向に位置合わせ可能となる光学部品取付け構造を有する光ピックアップを提供する。【解決手段】光学部品をホルダ部材２に装着した後、このホルダ部材２をスライドベース部材１０に取付ける構成とし、ホルダ部材２に、嵌め込み案内機能と回転規制機能と抜け落ち防止機能とを有するガイド部（第１ガイド部Ｇ１、第２ガイド部Ｇ２）を設け、スライドベース部材１０に、光学部品を取り付けたホルダ部材２を嵌め込む本体嵌め込み部１０１と、ガイド部を嵌め込むガイド嵌め込み部１０２を設ける構成とした。【選択図】図１Ａ
2014029743.tif 000002
【特許請求の範囲】
【請求項１】
スライドベース部材に光学部品を組み込んで構成される光ピックアップであって、
前記光学部品を保持するホルダ部材を有し、該ホルダ部材に前記光学部品を固定した後、当該ホルダ部材を、前記スライドベース部材に設けるホルダ取付け部位に取付けると共に、前記ホルダ部材が、前記光学部品の位置合わせ時に用いる調整用チャック部と、前記光学部品を取り付ける光学部品取付け部と、当該ホルダ部材を前記スライドベース部材に固定する接着固定部と、嵌め込み案内機能と回転規制機能と抜け落ち防止機能とを有するガイド部を備え、前記スライドベース部材に、前記ガイド部を嵌め込むガイド嵌め込み部を設けたことを特徴とする光ピックアップ。
【請求項２】
前記ガイド部は、嵌め込み案内機能と抜け落ち防止機能とを発揮する第１ガイド部と、回転規制機能を発揮する第２ガイド部とを備え、前記ガイド嵌め込み部は、第１ガイド部を嵌め込む第１の嵌め込み部と、第２ガイド部を嵌め込む第２の嵌め込み部を有することを特徴とする請求項１に記載の光ピックアップ。
【請求項３】
第１ガイド部は、ガイド片と該ガイド片の先端側に設ける抜け落ち防止片とを有し、第１の嵌め込み部は、前記ガイド片および前記抜け落ち防止片を嵌め込み可能な広い幅の挿入孔と、この挿入孔に連続し該挿入孔より細い幅のスライド溝部と、このスライド溝部に連続し、これらの広い幅と細い幅との間の中間幅の固定孔とを備え、前記ガイド片は、前記スライド溝部を挿通可能な細幅部を有し、前記抜け落ち防止片は、前記固定幅よりも広い幅を有することを特徴とする請求項２に記載の光ピックアップ。
【請求項４】
前記ホルダ部材は調整用チャック部となるチャック掴み穴が形成される上面部と、光学部品取付け部が形成される側面部とを備えた側面視Ｌ型とされ、第１ガイド部は、前記上面部から前記側面部と同じ方向に垂下して設けられていることを特徴とする請求項２または３に記載の光ピックアップ。
【請求項５】
第２ガイド部は、前記上面部から、前記第１ガイド部と異なる部位に垂下して設けられていることを特徴とする請求項４に記載の光ピックアップ。
【請求項６】
前記上面部に接着固定部を設け、前記光学部品の配設位置を三次元調整した後、前記上面部を前記スライドベース部材に接着固定していることを特徴とする請求項４または５に記載の光ピックアップ。
【発明の詳細な説明】
【技術分野】
【０００１】
本発明は、光ディスクにレーザー光を照射してデータの記録又は再生を行う光ピックアップに関する。
【背景技術】
【０００２】
従来、ブルーレイディスク（以下ＢＤと記載）、デジタル多用途ディスク（以下ＤＶＤと記載）、コンパクトディスク（以下ＣＤと記載）等の光ディスクに対して、情報を読み取ったり、情報を書き込んだりする目的で光ピックアップが使用されている。この光ピックアップには、光源から出射される光を光ディスクの情報記録面に集光するための対物レンズと、光ディスクで反射される反射光（戻り光）を受光する光検出器（ＰＤＩＣ）と、が含まれる。
【０００３】
また、光ピックアップによって、光ディスクの情報を読み取ったり、光ディスクに情報を書き込んだりする場合には、対物レンズによって集光される光スポットの位置は、次のように制御される。第１に、対物レンズによって集光される光スポットが、光ディスクの情報記録面上に常に存在するように制御（フォーカシング制御）される。第２に、対物レンズによって情報記録面上に集光された光スポットが、光ディスクに形成されるトラックに常に追従するように制御（トラッキング制御）される。
【０００４】
光ピックアップにおいては、光検出器から出力される信号に基づいて、光スポットと情報記録面（目標の情報記録面）とのズレ量を表すフォーカスエラー（ＦＥ）信号と、光スポットとトラック（目標のトラック）とのズレ量を表すトラッキングエラー（ＴＥ）信号とが算出されるようになっている。そして、ＦＥ信号に基づいて対物レンズのフォーカス方向の位置を動かす制御（フォーカシング制御）が行われ、ＴＥ信号に基づいて対物レンズのトラッキング方向の位置を動かす制御（トラッキング制御）が行われる。
【０００５】
なお、フォーカス方向は、光ディスクの情報記録面に略垂直な方向であり、トラッキング方向は、光ディスクのトラック（情報記録面に同心円状又は螺旋状に形成される）に略垂直な方向（トラックを横断する方向）である。
【０００６】
また、光ディスクからの戻り光を回折光学素子によって複数の光に分けて光検出器で受光し、ＴＥ信号を得る構成の光ピックアップが既に提案されている（例えば特許文献１参照）。
【０００７】
このような構成の光ピックアップでは、光検出器の取り付け精度が十分確保できない場合に、適切なＴＥ信号が得られないといった問題が生じる。例えば、光検出器の位置がずれると、回折光学素子で回折された回折光が光検出器に落ちる位置が変動して、適切なＴＥ信号が得られなくなる。
【０００８】
そのために、レーザー光源や対物レンズなどの光学部品をスライドベース部材に組み込む際には、これらの組み付け位置と組み付け姿勢を正しく調整して精度よく組み込むことが肝要である。
【０００９】
例えば、光源と受光素子を一体に保持する保持基板を、対物レンズを保持する保持部材に組み込む際に、この保持部材に凸部を形成し、この凸部を基準にして保持基板を可動自在として、保持部材に対する保持基板の位置を簡単かつ高い精度で調整できる光ピックアップが既に提案されている（例えば、特許文献２参照）。
【先行技術文献】
【特許文献】
【００１０】
【特許文献１】特開２００９−９６２８号公報
【特許文献２】特開平７−２４００３５号公報
【発明の概要】
【発明が解決しようとする課題】
【００１１】
光学部品をスライドベース部材に組み込む際には、これらの組み付け精度は三次元方向に高精度であることが望まれる。そのために、上記特許文献２に記載されているように、基準となる一面に沿って位置調整するだけでは、二次元方向に対して位置合わせすることはできても、三次元方向に沿って正しく位置合わせすることは困難である。
【００１２】
また、三次元方向に位置合わせする際には、光学部品を、あるいは光学部品を取り付けた部材を、組み込むスライドベース部材に対して空中保持した状態になる場合が想定されるので、このような空中保持の際にも、スライドベース部材から抜け落ちたり、ズレ落ちたりしない構成であることが望まれる。
【００１３】
特に、小型でコンパクトな構成の光ピックアップのスライドベース部材に対して、小型の光学部品を高精度に組み付ける際には、取付け部位に容易に嵌め込み可能であり、一旦嵌め込んだ後は、抜け落ちにくく、三次元方向に容易に位置合わせ可能であることが望まれる。
【００１４】
本発明は、上記問題点に鑑み、スライドベース部材に光学部品を組み込んで構成される光ピックアップにおいて、光学部品を所定の位置に容易に嵌め込み可能で、一旦嵌め込んだ後は、抜け落ちせずに三次元方向に位置合わせ可能となる光学部品取付け構造を有する光ピックアップを提供することを目的とする。
【課題を解決するための手段】
【００１５】
上記目的を達成するために本発明は、スライドベース部材に光学部品を組み込んで構成される光ピックアップであって、前記光学部品を保持するホルダ部材を有し、このホルダ部材に前記光学部品を固定した後、当該ホルダ部材を、前記スライドベース部材に設けるホルダ取付け部位に取付けると共に、前記ホルダ部材が、前記光学部品の位置合わせ時に用いる調整用チャック部と、前記光学部品を取り付ける光学部品取付け部と、当該ホルダ部材を前記スライドベース部材に固定する接着固定部と、嵌め込み案内機能と回転規制機能と抜け落ち防止機能とを有するガイド部を備え、前記スライドベース部材に、前記ガイド部を嵌め込むガイド嵌め込み部を設けたことを特徴としている。
【００１６】
この構成によると、光学部品を取り付けるホルダ部材が、調整用チャック部と、嵌め込み案内機能と回転規制機能と抜け落ち防止機能とを有するガイド部を備えているので、光学部品を取り付けたホルダ部材をスライドベース部材の所定の位置に容易に嵌め込み可能で、一旦嵌め込んだ後は、抜け落ちせずに三次元方向に位置合わせ可能となる。すなわち、光学部品を所定の位置に容易に嵌め込み可能で、一旦嵌め込んだ後は、抜け落ちせずに三次元方向に位置合わせ可能となる光学部品取付け構造を有する光ピックアップを得ることができる。
【００１７】
また本発明は、上記構成の光ピックアップにおいて、前記ガイド部は、嵌め込み案内機能と抜け落ち防止機能とを発揮する第１ガイド部と、回転規制機能を発揮する第２ガイド部とを備え、前記ガイド嵌め込み部は、第１ガイド部を嵌め込む第１の嵌め込み部と、第２ガイド部を嵌め込む第２の嵌め込み部を有することを特徴としている。この構成によると、第１ガイド部と第２ガイド部とを、それぞれが求められる機能を発揮する好ましい形態にすることができ、嵌め込み案内機能と抜け落ち防止機能と回転規制機能をそれぞれ効果的に発揮することが可能になる。
【００１８】
また本発明は、上記構成の光ピックアップにおいて、第１ガイド部は、ガイド片と該ガイド片の先端側に設ける抜け落ち防止片とを有し、第１の嵌め込み部は、前記ガイド片および前記抜け落ち防止片を嵌め込み可能な広い幅の挿入孔と、この挿入孔に連続し該挿入孔より細い幅のスライド溝部と、このスライド溝部に連続し、これらの広い幅と細い幅との間の中間幅の固定孔とを備え、前記ガイド片は、前記スライド溝部を挿通可能な細幅部を有し、前記抜け落ち防止片は、前記固定幅よりも広い幅を有することを特徴としている。この構成によると、第１ガイド部を挿入孔に嵌め込んだ後、ガイド片の細幅部を介してスライド溝部を挿通し、固定孔まで移動させることができる。また、第１ガイド部が固定孔にあるときは、抜け落ち防止片を介して、ホルダ部材がスライドベース部材から抜け落ちることを防止できる。
【００１９】
また本発明は、上記構成の光ピックアップにおいて、前記ホルダ部材は調整用チャック部となるチャック掴み穴が形成される上面部と、光学部品取付け部が形成される側面部とを備えた側面視Ｌ型とされ、第１ガイド部は、前記上面部から前記側面部と同じ方向に垂下して設けられていることを特徴としている。この構成によると、Ｌ型の側面部をガイド嵌め込み部に嵌め込んでも、Ｌ型の上面部にチャック掴み穴が露出しているので、このチャック掴み穴を掴んで光学部品の位置を調整できる。
【００２０】
また本発明は、上記構成の光ピックアップにおいて、第２ガイド部は、前記上面部から、前記第１ガイド部と異なる部位に垂下して設けられていることを特徴としている。この構成によると、回転規制機能を発揮する好ましい部位に第２ガイド部を設けることで、ホルダ部材を、ひいては光学部品を、許容される調整範囲を超えて変位させないようにすることができ、位置調整作業を容易に行うことが可能になる。
【００２１】
また本発明は、上記構成の光ピックアップにおいて、前記上面部に接着固定部を設け、前記光学部品の配設位置を三次元調整した後、前記上面部を前記スライドベース部材に接着固定していることを特徴としている。この構成によると、位置調整用治具がチャック掴み穴を介してホルダ部材を保持した状態を維持したまま、ホルダ部材をスライドベース部材に接着固定することができる。
【発明の効果】
【００２２】
本発明によれば、光学部品を所定の位置に容易に嵌め込み可能で、一旦嵌め込んだ後は、抜け落ちせずに三次元方向に位置合わせ可能となる光学部品取付け構造を有する光ピックアップを得ることができる。
【図面の簡単な説明】
【００２３】
【図１Ａ】本発明に係る光ピックアップの構成を示す概略平面図である。
【図１Ｂ】光ピックアップの概略側面図である。
【図２】光ピックアップの光学構成の一例を示す概略平面図である。
【図３Ａ】光学部品を取り付けるホルダ部材の一例を示す斜視図である。
【図３Ｂ】図３Ａのホルダ部材の平面図である。
【図４】スライドベース部材に設けるガイド嵌め込み部を示す平面図である。
【図５】ガイド嵌め込み部にホルダ部材を嵌め込んだ状態を示す平面図である。
【図６】ホルダ部材を固定部まで移動させた状態を示す平面図である。
【図７Ａ】ガイド嵌め込み部の一例を示す平面図である。
【図７Ｂ】第１ガイド部の一例を示す正面図である。
【図７Ｃ】本発明に係るガイド部の変形例を示す正面図である。
【発明を実施するための形態】
【００２４】
以下に本発明の実施形態を図面を参照して説明する。また、同一構成部材については同一の符号を用い、詳細な説明は適宜省略する。まず、図１Ａ、図１Ｂを用いて、光ピックアップの一例について説明する。図１Ａは本実施形態に係る光ピックアップの構成を示す概略平面図であり、図１Ｂは、図１Ａの矢印Ｌに沿って見た概略側面図である。
【００２５】
本実施形態の光ピックアップ１は、光ディスクＤにレーザー光を照射してデータの記録又は再生を行う装置であって、例えば、図１Ａに示すように、スライドベース部材１０と、スライドベース部材１０上に固定配置される対物レンズアクチュエータ３０を備えている。
【００２６】
スライドベース部材１０には、光ピックアップ１が備える光学部材が搭載される。また、スライドベース部材１０の左右の端部には軸受け部１０ａ、１０ｂが設けられている。スライドベース部材１０は、この軸受け部１０ａ、１０ｂによって、光ディスク装置（光ディスクＤの再生や記録を行うための装置）に設けられるガイドシャフト１００に摺動可能に支持されることになる。光ディスク装置に設けられるガイドシャフト１００は、光ディスクの半径方向（ラジアル方向；Ｒａｄ方向）に延びるように配置される。ガイドシャフト１００に対して摺動可能な光ピックアップ１は、回転する光ディスクＤの所望のアドレスにアクセスして情報の読み取りや書き込みを行うことができる。
【００２７】
対物レンズアクチュエータ３０は、光ピックアップ１に備えられる対物レンズ、例えば、２つの対物レンズ１６、２０をフォーカス方向及びトラッキング方向（Ｒａｄ方向と同じ方向）に移動可能とする装置である。
【００２８】
光ピックアップ１においては、情報の読み取りや書き込みを行う際に、対物レンズ１６（或いは対物レンズ２０）の焦点位置が常に光ディスクＤの情報記録面ＲＳ（図１Ｂ参照）に合うようにフォーカシング制御を行う必要がある。また、光ピックアップ１においては、情報の読み取りや書き込みを行う際に、対物レンズ１６（或いは対物レンズ２０）によって光ディスクＤの情報記録面ＲＳに集光される光スポットの位置が、光ディスクＤのトラックに常に追随するようにトラッキング制御を行う必要がある。対物レンズアクチュエータ３０は、例えば、これらフォーカシング制御及びトラッキング制御を行う際に駆動される。
【００２９】
なお、対物レンズアクチュエータ３０は、対物レンズ１６、２０を保持するレンズホルダ３１を有し、レンズホルダ３１をワイヤ３２で揺動可能に支持する構成のものである。そして、コイル及び磁石を利用して発生させた力でレンズホルダ３１（対物レンズ１６、２０）を動かすものである。このようなタイプの対物レンズアクチュエータは公知であるので、ここでは、詳細な説明は省略する。
【００３０】
図２は、本実施形態に係る光ピックアップ１の光学構成を示す概略説明図である。光ピックアップ１には、第１の光源１１から出射される光を光ディスクＤに導くとともに、光ディスクＤで反射される反射光（戻り光）を光検出部２３に導く、ＢＤ用の光路が形成されている。また、光ピックアップ１には、第２の光源１７から出射される光を光ディスクＤに導くとともに、光ディスクＤで反射される反射光（戻り光）を光検出部２３に導く、ＤＶＤ用の光路が形成されている。
【００３１】
なお、光ピックアップ１においては、複数の光学部材が、ＢＤ用の光路とＤＶＤ用の光路とで共用される構成となっている。すなわち、光ピックアップ１は、ＢＤ対応の場合とＤＶＤ対応の場合とで共通に利用する光路を有する構成となっている。また、光ピックアップ１においては、光検出部２３もＢＤ対応の場合とＤＶＤ対応の場合とで共用される。このような構成を採用しているため、光ピックアップ１は、ＢＤ及びＤＶＤに対応する光ピックアップを少ない部品点数で形成可能となっている。
【００３２】
まず、ＢＤ用の光路について説明する。第１の光源１１は、ＢＤ用のレーザー光（例えば波長４０５ｎｍ帯のレーザー光）を出射可能となっている。第１の光源１１から出射されたレーザー光は、偏光ビームスプリッタ１２に送られる。
【００３３】
偏光ビームスプリッタ１２は、第１の光源１１から出射されたＳ偏光（直線偏光の一例であり、これに限定される趣旨ではない）のレーザー光を反射する。偏光ビームスプリッタ１２で反射されたレーザー光は、１／４波長板１３で円偏光に変換される。１／４波長板１３から出射されたレーザー光は、コリメートレンズ１４を透過後、第１の立ち上げミラー１５で反射される。第１の立ち上げミラー１５で反射されたレーザー光は、第１の立ち上げミラー１５の上方にある第１の対物レンズ１６へと至る。第１の対物レンズ１６は、入射したレーザー光を光ディスクＤの情報記録面ＲＳに集光する機能を有する。
【００３４】
第１の対物レンズ１６によって情報記録面ＲＳに集光された後、情報記録面ＲＳで反射された反射光（戻り光）は、第１の対物レンズ１６を通過後、第１の立ち上げミラー１５で反射される。そして、戻り光は、コリメートレンズ１４を通過し、１／４波長板１３でＰ偏光に変換されて偏光ビームスプリッタ１２を透過する。ビームスプリッタ１８を通過した戻り光は、回折光学素子２１と、シリンドリカル面を含むセンサーレンズ２２と、からなるセンサー光学系を介して光検出器２３へと集光される。
【００３５】
光検出器２３は、受光した光信号を電気信号に変換する光電変換手段として機能する。なお、この光検出器２３は本発明の光検出部の一例である。光検出器２３から出力された電気信号は、信号処理部２４に送られる。信号処理部２４においては、再生信号、ＦＥ信号、ＴＥ信号等が生成される。
【００３６】
次に、ＤＶＤ用の光路について説明する。第２の光源１７は、ＤＶＤ用のレーザー光（例えば例えば波長６５０ｎｍ帯のレーザー光）を出射可能となっている。この第２の光源１７から出射されたレーザー光は、ビームスプリッタ１８に送られる。
【００３７】
ビームスプリッタ１８は、入射したレーザー光の一部を反射し、一部を透過する。ビームスプリッタ１８で反射されたレーザー光は、偏光ビームスプリッタ１２、１／４波長板１３、コリメートレンズ１４を通過する。なお、偏光ビームスプリッタ１２は、ＢＤ用のレーザー光に作用する光学部材であり、ＤＶＤ用のレーザー光は、その偏光状態に関わらず透過する。
【００３８】
第１の立ち上げミラー１５はダイクロイックミラーであり、ＢＤ用のレーザー光は反射されるが、ＤＶＤ用のレーザー光は透過可能となっている。このため、第２の光源１７から出射されてコリメートレンズ１４を通過したレーザー光は、第１の立ち上げミラー１５も透過する。第１の立ち上げミラー１５を透過したレーザー光は、第２の立ち上げミラー１９で反射される。第２の立ち上げミラー１９で反射されたレーザー光は、第２の立ち上げミラー１９の上方にある第２の対物レンズ２０へと至る。第２の対物レンズ２０は、入射したレーザー光を光ディスクＤの情報記録面ＲＳに集光する機能を有する。
【００３９】
第２の対物レンズ２０によって情報記録面ＲＳに集光された後、情報記録面ＲＳで反射された反射光（戻り光）は、第２の対物レンズ２０を通過後、第２の立ち上げミラー１９で反射される。そして、戻り光は、第１の立ち上げミラー１５、コリメートレンズ１４、１／４波長板１３、偏光ビームスプリッタ１２を通過する。その後、ビームスプリッタ１８を通過した戻り光は、回折光学素子２１と、シリンドリカル面を含むセンサーレンズ２２と、からなるセンサー光学系を介して光検出器２３へと集光される。光検出器２３は、光電変換を行って電気信号を信号処理部２４に送り、信号処理部２４は、再生信号、ＦＥ信号、ＴＥ信号等を生成する。
【００４０】
なお、コリメートレンズ１４は、光軸方向Ｍ（図２の左右方向）に移動可能となっており、その位置は、対応する光ディスクＤの種類やレイヤージャンプ等に応じて適宜移動される。これにより、対物レンズ１６、２０に入射する光の収束・発散度合いを調節でき、球面収差の影響を適切に抑制することが可能となっている。また、回折光学素子２１はＴＥ信号を生成可能とするために設けられている。
【００４１】
また、センサーレンズ２２にシリンドリカル面を設けて非点収差が与えられるように構成しているのは、公知の非点収差法を用いてＦＥ信号が生成できるようにするためである。また、信号処理部２４で生成されたＦＥ信号及びＴＥ信号に基づいて、光ピックアップ１の動作を制御する制御部（図示せず）は、フォーカシング制御及びトラッキング制御を行うべく、対物レンズアクチュエータ３０の駆動を制御する。
【００４２】
上記したように、本実施形態に係る光ピックアップ１は、光ディスクＤからの戻り光を回折光学素子２１によって複数の光に分けて光検出器２３で受光し、ＦＥ信号及びＴＥ信号を得るようにしている。そのために、この回折光学素子２１を含むセンサー光学系は、対物レンズから光検出器２３に至る光軸に対して、その組み付け位置と組み付け姿勢を正しく調整しておくことが望まれる。
【００４３】
そのために、本実施形態においては、高精度に位置合わせすることが望まれる回折光学素子２１を含むセンサー光学系を、所定の機能を有するホルダ部材に装着して、組付け時に三次元方向（前後左右上下方向）に容易に位置調整できるようにしたものである。
【００４４】
次に、図３〜図５を用いて本実施形態に係るホルダ部材について、また、このホルダ部材を用いた組み付け構成について説明する。図３Ａは、ホルダ部材の一例を示す斜視図であり、図３Ｂは、平面図である。図４は、このホルダ部材を装着するスライドベース部材に設けるガイド嵌め込み部を示す平面図であり、図５は、ガイド嵌め込み部にホルダ部材を嵌め込んだ状態を示す平面図である。
【００４５】
本実施形態では、例えば、光学部品である回折光学素子２１をホルダ部材２を用いてスライドベース部材１０に組み込む構成としている。すなわち、本実施形態に係る光ピックアップ１は、光学部品を保持するホルダ部材２を有し、このホルダ部材２に光学部品を固定した後、当該ホルダ部材２を、スライドベース部材１０に取付けている。
【００４６】
また、光学部品の取付け位置を正確にするために、ホルダ部材２に光学部品の位置合わせ時に用いる調整用チャック部と、光学部品を取り付ける光学部品取付け部と、当該ホルダ部材２をスライドベース部材１０に固定する接着固定部と、嵌め込み案内機能と回転規制機能と抜け落ち防止機能とを有するガイド部を設け、スライドベース部材１０に、前記ガイド部を嵌め込むガイド嵌め込み部を設けた構成としている。
【００４７】
一つのガイド部に、嵌め込み案内機能と回転規制機能と抜け落ち防止機能とを具備させてもよいが、これらの機能を個別に有する複数のガイド部を設ける構成であってもよい。例えば、図３Ａに示すような、嵌め込み案内機能と抜け落ち防止機能を発揮する第１ガイド部Ｇ１と、回転規制機能を発揮する第２ガイド部Ｇ２を備えた構成とする。
【００４８】
この第１ガイド部Ｇ１と第２ガイド部Ｇ２を備えたホルダ部材２は、図に示すように、調整用チャック部となるチャック掴み穴２ｃ、２ｄが形成される上面部２ａと、光学部品取付け部３が形成される側面部２ｂとを備えた側面視Ｌ型の板金製から成り、例えば、ステンレス製の板金部材として作製される。また、樹脂を用いた一体成形品であってもよく、セラミック成形品であってもよい。
【００４９】
また、第１ガイド部Ｇ１は、上面部２ａから側面部２ｂと同じ方向に垂下して設けられている。この構成であれば、Ｌ型の側面部２ｂをガイド嵌め込み部に嵌め込んでも、Ｌ型の上面部２ａにチャック掴み穴２ｃ、２ｄが露出しているので、このチャック掴み穴２ｃ、２ｄを掴むことにより光学部品の位置を調整できる。
【００５０】
チャック掴み穴２ｃは例えば丸型であり、チャック掴み穴２ｄは例えば楕円型とされ、それぞれの形状に合致した調整用ピンを差し込んで、位置ずれすることなくホルダ部材２を把持し、位置合わせすることができる。
【００５１】
上記したように、ホルダ部材２は、光学部品取付け部３と調整用のチャック掴み穴２ｃ、２ｄとが直角位置に配設されるので、光学部品をスライドベース部材に組み込んだ状態で、チャック掴み穴２ｃ、２ｄに、調整用ピンを差し込んで、光学部品の位置および姿勢を微調整することができる。
【００５２】
第１ガイド部Ｇ１は、その先端側に幅広の抜け落ち防止片Ｇ１ｂを有する。また、この抜け落ち防止片Ｇ１ｂまでは細幅部のガイド片Ｇ１ａである。第２ガイド部Ｇ２は、上面部２ａから、第１ガイド部Ｇ１と異なる部位に垂下して設けられていることが好ましい。例えば、図３Ｂに示すように、第１ガイド部Ｇ１と直交する側面部に設ける。このような構成であれば、回転規制機能を発揮する好ましい部位に第２ガイド部Ｇ２を設けることで、ホルダ部材２を、ひいては光学部品（例えば、回折光学素子２１）を、許容される調整範囲を超えて変位させないようにすることができ、位置調整作業を容易に行うことが可能になる。
【００５３】
次に、この光学部品を保持するホルダ部材２を嵌め込んで装着するスライドベース部材１０側のガイド嵌め込み部について図４を用いて説明する。
【００５４】
図４に示すように、スライドベース部材１０の所定部位に、ホルダ部材２の本体部分を嵌め込む本体嵌め込み部１０１とガイド部を嵌め込むガイド嵌め込み部１０２が形成されている。本体嵌め込み部１０１は、光学部品を取り付けたホルダ部材２の側面部２ｂを嵌め込んで装着する部分であり、ガイド嵌め込み部１０２は、第１ガイド部Ｇ１を嵌め込む第１の嵌め込み部である。
【００５５】
また、ガイド嵌め込み部１０２（第１の嵌め込み部）は、ガイド片および抜け落ち防止片Ｇ１ｂを嵌め込み可能な広い幅の挿入孔１０２ａと、この挿入孔１０２ａに連続し該挿入孔より細い幅のスライド溝部１０２ｂと、このスライド溝部１０２ｂに連続し、これらの広い幅と細い幅との間の中間幅の固定孔１０２ｃとを備えている。
【００５６】
第１ガイド部Ｇ１の先端側に設ける抜け落ち防止片Ｇ１ｂは、挿入孔１０２ａに嵌め込み可能であるので、この挿入孔１０２ａに抜け落ち防止片Ｇ１ｂを差し込んでいく。そして、第１ガイド部Ｇ１のスライド溝部１０２ｂを挿通可能な細幅部のガイド片Ｇ１ａに達すると、このガイド片Ｇ１ａをスライド溝部１０２ｂに沿って移動させることができる。
【００５７】
すなわち、第１ガイド部Ｇ１を挿入孔１０２ａに嵌め込んだ後、ガイド片Ｇ１ａを介してスライド溝部１０２ｂを挿通し、固定孔１０２ｃまで移動させることができる。また、第１ガイド部Ｇ１が固定孔１０２ｃにあるときは、抜け落ち防止片Ｇ１ｂを介して、ホルダ部材２がスライドベース部材１０から抜け落ちることを防止できる。
【００５８】
上記のように、第１ガイド部Ｇ１を固定孔１０２ｃまで移動させて、光学部品を取り付けたホルダ部材２を本体嵌め込み部１０１に嵌め込んで収容すると、ホルダ部材２は、この本体嵌め込み部１０１から抜け落ちたり、脱落したりしない。すなわち、この状態からスライドベース部材１０を傾けたり上下逆さまにしたりしても、ホルダ部材２は本体嵌め込み部１０１から抜け落ちない。
【００５９】
また、図５は、ガイド嵌め込み部にホルダ部材２を嵌め込んだ状態を示す平面図であり、挿入孔１０２ａに第１ガイド部Ｇ１を差し込んだ状態を示している。この状態で、第１ガイド部Ｇ１をさらに押し込んでいくと、第２ガイド部Ｇ２がスライドベース部材１０に当接して移動が停止される。
【００６０】
この停止したときに、抜け落ち防止片Ｇ１ｂが挿入孔１０２ａを貫通し、細幅のガイド片Ｇ１ａが位置する状態となり、このまま図５の図中に示す矢印Ｋ１方向に回すと、第２ガイド部Ｇ２がスライドベース部材１０の面上を滑り、第１ガイド部Ｇ１のガイド片Ｇ１ａがスライド溝部１０２ｂを挿通していく。そして、第２ガイド部Ｇ２が本体嵌め込み部１０１の端部１０１ａ（第２の嵌め込み部に相当）に達すると、図面を貫通する方向に移動可能に、すなわち落下可能になり、ホルダ部材２の上面部２ａがスライドベース部材１０の面に当接する。
【００６１】
すなわち、図６に示すように、第２ガイド部Ｇ２が本体嵌め込み部１０１の端部１０１ａ（第２の嵌め込み部）に位置し、ホルダ部材２は、本体嵌め込み部１０１に嵌り込んだ状態のホルダ部材２Ｂとなる。このとき、第１ガイド部Ｇ１は固定孔１０２ｃに位置するようにしている。
【００６２】
上記したように、本実施形態に係るガイド嵌め込み部は、挿入孔１０２ａとスライド溝部と固定孔とを備え第１ガイド部Ｇ１を嵌め込む第１の嵌め込み部（ガイド嵌め込み部１０２）と、第２ガイド部Ｇ２を嵌め込む第２の嵌め込み部（本体嵌め込み部１０１の端部１０１ａ）を有する。また、第２ガイド部Ｇ２は、抜け落ち防止片Ｇ１ｂを備えた第１ガイド部Ｇ１よりも長さが短く、抜け落ち防止片Ｇ１ｂが挿入孔１０２ａを貫通し、細幅のガイド片Ｇ１ａが位置する程度の長さとされる。
【００６３】
また、本体嵌め込み部１０１に嵌り込んだ状態のホルダ部材２Ｂとなったときに、第２ガイド部Ｇ２を挟む端部１０１ａの壁が、ホルダ部材２Ｂの回転大きさを規制する。すなわち、端部１０１ａの壁と第２ガイド部Ｇ２との間の隙間の分だけ回転方向に変位可能であり、回転規制機能を発揮する。言い換えれば、第２ガイド部Ｇ２は回転規制機能を有する。
【００６４】
そして、図６の位置にあるホルダ部材２Ｂの上面部２ａに配設されたチャック掴み穴２ｃ、２ｄを利用してチャック治具を用いて掴み、ホルダ部材２Ｂの三次元方向の位置を微調整する。三次元方向の位置を微調整した後、スライドベース部材１０の面との接触部もしくは隙間に所定の接着剤を流し込んで接着固定する。
【００６５】
例えば、スライドベース部材１０の面と対向する上面部２ａの角部を接着固定する。この場合は、図に示すように、上面部２ａに複数の接着固定部４ａ、４ｂ、４ｃ、４ｄが設けられる構成となる。
【００６６】
すなわち、本実施形態の光ピックアップは、ホルダ部材２の上面部２ａに接着固定部を設け、光学部品の配設位置を三次元調整した後、上面部２ａをスライドベース部材１０に接着固定している。この構成であれば、位置調整用治具がチャック掴み穴２ｃ、２ｄを介してホルダ部材２を保持した状態を維持したまま、ホルダ部材２をスライドベース部材１０に接着固定することができる。
【００６７】
次に、図７Ａ、図７Ｂ、図７Ｃを用いてガイド嵌め込み部１０２とガイド部についてさらに説明する。
【００６８】
図７Ａに示すように、ガイド嵌め込み部１０２は、幅ＨＡの挿入孔１０２ａと、この幅ＨＡよりも幅の狭い幅ＨＢの固定孔１０２ｃと、これらの挿入孔１０２ａと固定孔１０２ｃとを接続し幅ＨＢよりもさらに幅の狭いスライド溝部１０２ｂを備えた構成である。
【００６９】
また、スライド溝部１０２ｂは湾曲した溝部であり、挿入孔１０２ａと固定孔１０２ｃとを角度θだけ回転させるように接続している。すなわち、光学部品を取り付けたホルダ部材２を本体嵌め込み部１０１に嵌め込む際には、図５に示す光学部品取付け部を本体嵌め込み部１０１に嵌め込み、第１ガイド部Ｇ１を挿入孔１０２ａに差し込んだ、少し傾斜した状態のホルダ部材２Ａから、第１ガイド部Ｇ１側を湾曲したスライド溝部１０２ｂに沿って回転させるように移動させて、図６に示す正規の配設位置に相当するホルダ部材２Ｂ状態にする。
【００７０】
挿入孔１０２ａに差し込む第１ガイド部Ｇ１は、図７Ｂに示すように、スライド溝部１０２ｂに対して摺動自在となる幅ＨＤのガイド片Ｇ１ａの先端部に幅広の抜け落ち防止片Ｇ１ｂを設けた板金状とされる。また、この抜け落ち防止片Ｇ１ｂの幅ＨＣは挿入孔１０２ａの幅ＨＡよりも狭く、固定孔１０２ｃの幅ＨＢよりも広くしている。また、抜け落ち防止片Ｇ１ｂの角部に面取り部Ｇ１ｃを設け、挿入する際の案内ガイド部を形成して容易に挿入可能としている。
【００７１】
上記の構成であれば、抜け落ち防止片Ｇ１ｂを挿入孔１０２ａに差し込むようにして第１ガイド部Ｇ１を嵌め込み、細幅のガイド片Ｇ１ａを介してスライド溝部１０２ｂに沿って移動して、固定孔１０２ｃまで容易に導くことができる。
【００７２】
また、第１ガイド部Ｇ１が固定孔１０２ｃに装着されると、固定孔１０２ｃの幅ＨＢよりも幅の広い抜け落ち防止片Ｇ１ｂを介してこの固定孔１０２ｃが脱落しない。すなわち、光学部品を取り付けたホルダ部材２を三次元方向に傾けても、第１ガイド部Ｇ１が固定孔１０２ｃから外れずに、スライドベース部材１０から抜け落ちない構成となる。
【００７３】
また、第１ガイド部Ｇ１に設ける細幅部は、先端に設ける抜け落ち防止片Ｇ１ｂ以外のガイド片Ｇ１ａの全体を細幅にして設けてもよいが、図７Ｃに示すように面取り部Ｇ１Ａｃを有する抜け落ち防止片Ｇ１Ａｂの上部の一部に細幅部Ｇ１Ａａを設け、その上は、固定孔１０２ｃの幅ＨＢよりも幅の狭い幅ＨＥのガイド片Ｇ１Ａｄを設けた構成の第１ガイド部Ｇ１Ａとしてもよい。
【００７４】
また、上記構成の第１ガイド部Ｇ１Ａであれば、この幅ＨＥのガイド片Ｇ１Ａｄが前述した第２ガイド部Ｇ２の回転規制機能を発揮する。すなわち、第１ガイド部Ｇ１Ａは、第１ガイド部Ｇ１が有する嵌め込み案内機能と抜け落ち防止機能に加えて、第２ガイド部Ｇ２が有する回転規制機能を共に発揮するガイド部となる。
【００７５】
そのために、この第１ガイド部Ｇ１Ａを備えたホルダ部材であれば、第２ガイド部Ｇ２を備えていない構成であってもよい。もちろん、この第１ガイド部Ｇ１Ａと第２ガイド部Ｇ２とを共に備えた構成であってもよい。
【００７６】
第１ガイド部（Ｇ１、Ｇ１Ａ）と第２ガイド部（Ｇ２）とを共に備えた構成であれば、これらを設ける好ましい部位にそれぞれ設けることができ、また、それぞれ好ましい形状にすることも容易である。そのために、このような構成であれば、第１ガイド部と第２ガイド部とを、それぞれが求められる機能を発揮する好ましい形態にすることができ、嵌め込み案内機能と抜け落ち防止機能と回転規制機能をそれぞれ効果的に発揮することが可能になる。
【００７７】
上記したように本発明に係る光ピックアップによれば、光学部品を正しい姿勢に取付ける際に、光学部品をホルダ部材に装着した後、このホルダ部材をスライドベース部材に取付ける構成とし、ホルダ部材に、嵌め込み案内機能と回転規制機能と抜け落ち防止機能とを有するガイド部を設け、スライドベース部材に、光学部品を取り付けたホルダ部材２を嵌め込む本体嵌め込み部と、ガイド部を嵌め込むガイド嵌め込み部を設ける構成としたので、光学部品を取り付けたホルダ部材をスライドベース部材の所定の位置に容易に嵌め込み可能で、一旦嵌め込んだ後は、抜け落ちせずに三次元方向に位置合わせ可能となる光学部品取付け構造を有する光ピックアップを得ることができる。
【００７８】
また、ガイド部は、嵌め込み案内機能と抜け落ち防止機能とを発揮する第１ガイド部と、回転規制機能を発揮する第２ガイド部とを備え、スライドベース部材に設けるガイド嵌め込み部は、挿入孔とスライド溝部と固定孔とを備え第１ガイド部を嵌め込む第１の嵌め込み部と、第２ガイド部を嵌め込む第２の嵌め込み部を有する構成としたので、第１ガイド部と第２ガイド部とを、それぞれが求められる機能を発揮する好ましい形状にすることができ、嵌め込み案内機能と抜け落ち防止機能と回転規制機能をそれぞれ効果的に発揮することが可能になる。
【００７９】
また、ホルダ部材は、チャック掴み穴が形成される上面部と、光学部品取付け部が形成される側面部とを備えた側面視Ｌ型としたので、光学部品をスライドベース部材に組み込んだ状態で、チャック掴み穴に、調整用ピンを差し込んで、光学部品の位置および姿勢を微調整することができる。
【００８０】
このように本発明によれば、光学部品を取り付けたホルダ部材を容易に嵌め込み、抜け落ちなく空中保持して位置調整可能となる光ピックアップを得ることができる
【産業上の利用可能性】
【００８１】
そのために、本発明に係る光ピックアップは、組立の際に、光学部品の配設位置を三次元方向に調整することが求められる光ピックアップに好適に適用することができる。
【符号の説明】
【００８２】
１    光ピックアップ
２    ホルダ部材
２ａ  上面部
３    光学部品取付け部
１０    スライドベース部材
２１    回折光学素子（光学部品）
１０１    本体嵌め込み部
１０１ａ  端部（第２の嵌め込み部）
１０２    ガイド嵌め込み部（第１の嵌め込み部）
１０２ａ  挿入孔
１０２ｂ  スライド溝部
１０２ｃ  固定孔
Ｇ１    第１ガイド部
Ｇ２    第２ガイド部
Ｇ１ａ  ガイド片
Ｇ１ｂ  抜け落ち防止片
【図１Ａ】
2014029743.tif 000003
【図１Ｂ】
2014029743.tif 000004
【図２】
2014029743.tif 000005
【図３Ａ】
2014029743.tif 000006
【図３Ｂ】
2014029743.tif 000007
【図４】
2014029743.tif 000008
【図５】
2014029743.tif 000009
【図６】
2014029743.tif 000010
【図７Ａ】
2014029743.tif 000011
【図７Ｂ】
2014029743.tif 000012
【図７Ｃ】
2014029743.tif 000013